(57)【要約】      （修正有）【課題】介護を要する車椅子の生活が余儀なくされた方に便利な下足箱を提供する。【解決手段】折りたたみスロープ本体１と、それを載せているスライドパネル５を主に備えいる。また、折りたたみスロープ本体１は、スロープ上段部２と、スロープ下段部３とからなり、それを繋いでいる丁番７を中心にスロープ上段部２が玄関床面まで回転しスロープを使用することができる。【選択図】図１
0003120956.tif 000002
【実用新案登録請求の範囲】
【請求項１】
ａ）複数のキャスターの付いたスライドパネル。ｂ）前記スライドパネルは軽量スライド版を中心に収納位置から上框まで回転する。ｃ）前記スライドパネルの上部には折りたたみ式スロープ本体が載るｄ）前記折りたたみ式スロープは折りたたんだ状態は、直方体の形状。ｅ）前記折りたたみ式スロープは、図２及び図４における寸法（Ｙ＋Ｚ）が現場の任意の玄関と玄関ホールの段差であり玄関の床の水勾配に対応できるようにＺで調整する。ｆ）前記Ｚは前記スライドパネルと前記折りたたみ式スロープとを固定する調整ネジで設置後微調整による寸法。ｇ）スロープの折りたたみは丁番を使用する。ｈ）下足箱の下端を上框の上に２０ミリ内外嵩上げすることにより前記折りたたみ式スロープの収納を容易にするクリアランスを設ける。以上の構成によりなる収納型スロープ付下足箱。
【請求項２】
スロープが上框、玄関床にそれぞれ充分に接置の調整をするための手段を複数の下板調整ネジに設けたことを特徴とする請求項１記載の収納型スロープ１。
【考案の詳細な説明】
【技術分野】
【０００１】本考案は、来るべき高齢者社会において在宅介護を容易にするため、或いは、足の不自由な人の車椅子のため、に用いられる既存及び新築住宅などの玄関と玄関ホールの上框との段差解消の為のスロープとそれを収納する下足箱に関する。
【背景技術】
【０００２】  従来の車椅子用スロープは既存及び新築住宅などの玄関と玄関ホールの上框の段差に限らず車椅子の動線内に必要に応じて常設するものもあれば可動式に設置するものもあった。可動式に設置するものは、住宅の性質上健常者との生活共存の為固定せず必要に応じて設置することが多く収納場所はまちまちであった。
【考案の開示】
【考案が解決しようとする課題】
【０００３】  従来の下足箱は単に靴やコートの収納を目的にし、下足箱の下部はあまり有効でないデットスペースに近い空間になっていることが一般的である。また、可動式スロープにおいては、必要な時以外の収納場所に苦慮する。これらの問題を解決する為にスロープを折りたたみ下足箱と一体化することによって限られた玄関としてのスペースを有効に使うことができる。本考案は、これらの問題点を解決する為に考案されたものである。
【課題を解決するための手段】
【０００４】  上記課題を解決するために本考案は、ａ）複数のキャスターの付いたスライドパネル。ｂ）前記スライドパネルは軽量スライド板を中心に収納位置から上框まで回転する。ｃ）前記スライドパネルの上部には折りたたみ式スロープ本体が載るｄ）前記折りたたみ式スロープは折りたたんだ状態は、直方体の形状。ｅ）前記折りたたみ式スロープは、図２及び図４における寸法（Ｙ＋Ｚ）が現場の任意の玄関と玄関ホールの段差であり玄関の床の水勾配に対応できるようにＺで調整する。ｆ）前記Ｚは前記スライドパネルと前記折りたたみ式スロープとを固定する調整ネジで設置後微調整による寸法。ｇ）スロープの折りたたみは丁番を使用する。ｈ）下足箱の下端を上框の上に２０ミリ内外嵩上げすることにより前記折りたたみ式スロープの収納を容易にするクリアランスを設ける。以上の構成によりなる収納型スロープ付下足箱。
【考案の効果】
【０００５】  以上、詳細に説明したように、本考案によれば、介護を要する車椅子の生活が余儀なくされた方にバリアフリー化の住宅の一端を提供することができ、既存住宅のバリアフリー化のリフォーム及び介護を含めた健常者との共存を考慮した新築住宅用としても活用することができる。
【考案を実施するための最良の形態】
【０００６】  以下、本考案を添付図面に示す実施形態例に基づき、更に詳細に説明する。図１は本考案に係る収納型スロープ付下足箱の収納時から玄関上框への取付時までの取付軌跡の平面図であり、図２はその収納時の展開図と取付時の要部の断面図であり、更に図３は収納時から上框への取付時のスライドパネルの軌跡の詳細であり、更に図４は図２のスロープ完成時の拡大図である。【０００７】  この収納型スロープ付下足箱は、折りたたみスロープ本体１と、それを載せているスライドパネル５を主に備えいる。また、折りたたみスロープ本体１は、スロープ上段部２と、スロープ下段部３とからなり、それを繋いでいる丁番７を中心にスロープ上段部２が玄関床面まで回転し前記図４の通りスロープを使用することができるようになっている。【０００８】  スライドパネル５とは、軽量スライド版４を中心にキャスター６が弧を描いて可動する部分であり、かつ折りたたみスロープ本体１を載せ一体となり収納時から玄関上框への取付時までのベースとなる部分ともなる。
【図面の簡単な説明】
【０００９】
【図１】  実施例の収納型スロープ付下足箱の平面図
【図２】  実施例の収納型スロープ付下足箱の展開図、断面図
【図３】  実施例の収納型スロープ付下足箱のスライドパネル取付詳細図。
【図４】  実施例の収納型スロープ付下足箱の収納時、スロープ使用時詳細図。
【符号の説明】
【００１０】１  折りたたみスロープ本体
２  スロープ上段部
３  スロープ下段部
４  軽量スライド版１００角（量販品）
５  スライドパネル（パーティクルボード）厚２０
６  面付きボールキャスター３２Φ（量販品）
７  ルーター用隠し丁番１００（スガツネ工業株式会社相当品）
Ｘ  上框ラインより玄関ホール側に寄せる寸法（既存に依る現場調整寸法）
Ｙ  玄関と玄関ホールとのレベル差からＺを差し引いた寸法
Ｚ  玄関内水勾配を含むキャスター（６）の取り付け現場調整寸法
【図１】
0003120956.tif 000003
【図２】
0003120956.tif 000004
【図３】
0003120956.tif 000005
【図４】
0003120956.tif 000006
【手続補正書】
【提出日】平成17年8月24日(2005.8.24)
【手続補正１】
【補正対象書類名】実用新案登録請求の範囲
【補正対象項目名】全文
【補正方法】変更
【補正の内容】
【実用新案登録請求の範囲】
【請求項１】
玄関の床面が玄関ホールの上框に対し段差をなして低くなっており、下足箱が下方の前記床面との間に隙間をあけて設置され、前記下足箱の下端の高さは前記上框の高さより２０ミリ以内の範囲で高く設定された住宅において、前記隙間に収納可能な収納型スロープ付下足箱であって、複数のキャスターが下部に付いたスライドパネルと、折りたたみ式スロープ本体とを有し、
前記スライドパネルは前記床面に設置される軽量スライド版を有し前記軽量スライド版を中心として前記床面に沿って前記隙間の位置から上框付近まで回転可能に設けられ、
前記折りたたみ式スロープ本体は前記スライドパネルの上部に調整ネジにより高さ調節可能に取り付けられてその上に載っており、２つの部材を丁番で接続して成って直方体形状に折りたたみ可能であり、前記スライドパネルの回転により前記隙間の位置から前記上框に接続される位置まで回転可能に構成されていることを、
特徴とする収納型スロープ付下足箱。
【請求項２】
前記調整ネジは複数から成り、前記折りたたみ式スロープ本体の上面が前記上框の上面と前記床面とに連続するよう前記折りたたみ式スロープ本体の高さを調節可能となっていることを、特徴とする請求項１記載の収納型スロープ付下足箱。
【手続補正２】
【補正対象書類名】図面
【補正対象項目名】図４
【補正方法】変更
【補正の内容】
【図４】
0003120956.tif 000007